【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
パーソナルオーディオデバイスであって、該パーソナルオーディオデバイスは、
パーソナルオーディオデバイス筐体と、
オーディオ信号を再生するために該筐体に設置されているトランスデューサであって、該オーディオ信号は、リスナへの再生のためのソースオーディオと、該トランスデューサの音響出力における周囲のオーディオサウンドの影響を打ち消すためのアンチノイズ信号との両方を含む、トランスデューサと、
該周囲のオーディオサウンドを示す基準マイクロフォン信号を提供するために該筐体に設置されている基準マイクロフォンと、
該トランスデューサの音響出力および該トランスデューサにおける該周囲のオーディオサウンドを示すエラーマイクロフォン信号を提供するために、該トランスデューサの近くにおいて該筐体に設置されている、エラーマイクロフォンと、
ノイズ信号を提供するための制御可能なノイズソース（ｎｏｉｓｅ  ｓｏｕｒｃｅ）と、
処理回路であって、該処理回路は、エラー信号および該基準マイクロフォン信号に従い、該基準マイクロフォン信号から、該リスナによって聞き取られる該周囲のオーディオサウンドの存在を低減するための該アンチノイズ信号を生成する、処理回路と、
を備え、該処理回路は成形されたソースオーディオを発生するために、該ソースオーディオを成形する二次経路応答を有する二次経路適合的フィルタと、第二のコンバイナとを実装し、該コンバイナは、該エラー信号を提供するために、該エラーマイクロフォン信号から該ソースオーディオを除去し、該処理回路は、該ソースオーディオが、存在しないか、または、低減された振幅を有する場合、該ソースオーディオの代わりに、または、該ソースオーディオとの組み合わせで、該ノイズジェネレータから、該二次経路適合的フィルタおよび該ドランスデューサによって再生される該オーディオ信号の中にノイズを注入することにより、該二次経路適合的フィルタに適合することを続けさせ、該処理回路は、該二次経路適合的フィルタの出力に従い、該制御可能なノイズソースを制御する、
パーソナルオーディオデバイス。
【請求項２】
前記処理回路は、前記二次経路適合的フィルタの出力の振幅を測定し、該二次経路適合的フィルタの出力の振幅が、閾値振幅を超過する場合、前記制御可能なノイズソースを変更する、請求項１に記載のパーソナルオーディオデバイス。
【請求項３】
前記処理回路は、前記二次経路適合的フィルタの出力の振幅が、前記閾値振幅を超過する場合、前記ノイズ信号に適用されるゲインを調節する、請求項２に記載のパーソナルオーディオデバイス。
【請求項４】
前記処理回路は、前記二次経路適合的フィルタの出力の振幅が、前記閾値振幅を超過する場合、前記ノイズ信号の注入を不能にする、請求項２に記載のパーソナルオーディオデバイス。
【請求項５】
前記処理回路は、さらに、前記エラー信号の振幅から前記閾値振幅を決定し、該閾値振幅は、該エラー信号の振幅に従って動的に調節される、請求項２に記載のパーソナルオーディオデバイス。
【請求項６】
前記閾値振幅は、前記エラー信号の振幅より２０ｄＢ低いレベルである、請求項５に記載のパーソナルオーディオデバイス。
【請求項７】
前記処理回路は、前記ソースオーディオの振幅が、閾値振幅より低いことを検出し、該処理回路は、該ソースオーディオの振幅が、該閾値振幅より低い場合、前記制御可能なノイズソースを変更することのみを行う、請求項１に記載のパーソナルオーディオデバイス。
【請求項８】
前記処理回路は、応答を有する適合的フィルタを実装し、該応答は、前記基準信号から、前記リスナによって聞き取られる前記周囲のオーディオサウンドの存在を低減するための前記アンチノイズ信号を生成し、該処理回路は、前記エラー信号および前記基準マイクロフォン信号に従い、該適合的フィルタの該応答を成形する、請求項１に記載のパーソナルオーディオデバイス。
【請求項９】
パーソナルオーディオデバイスのトランスデューサの近くにおける周囲のオーディオサウンドをキャンセルする方法であって、該方法は、
基準マイクロフォン信号を生成するために、基準マイクロフォンを用いて、該周囲のオーディオサウンドの第１の測定を行うことと、
エラーマイクロフォンを用いて、該トランスデューサの出力および該トランスデューサにおける該周囲のオーディオサウンドの第２の測定を行うことと、
該第１の測定および該第２の測定の結果から、該トランスデューサの音響出力における該周囲のオーディオサウンドの影響を打ち消すためのアンチノイズ信号を適合的に生成することと、
該アンチノイズ信号をソースオーディオ信号と組み合わせることにより、該トランスデューサに提供されるオーディオ信号を生成することと、
二次経路応答により、該ソースオーディオのコピーを、成形されたソースオーディオを発生するために、成形することと、
該エラーマイクロフォン信号から、該ソースオーディオのコピーを該成形することの結果を除去することにより、該リスナに送達される該組み合わされたアンチノイズと周囲のオーディオサウンドとを示すエラー信号を生成することと、
ノイズ信号を生成することと、
該ソースオーディオが、存在しないか、または、低減された振幅を有する場合、該ソースオーディオの代わりに、または、該ソースオーディオとの組み合わせで、該二次経路適合的フィルタに該ノイズ信号を注入し、前記組み合わせることは、前記ソースオーディオ信号の代わりに、または、前記ソースオーディオ信号との組み合わせで組み合わせることを含み、該二次経路適合的フィルタに適合することを続けさせ、
該二次経路適合的フィルタの出力に従い、該制御可能なノイズソース（ｎｏｉｓｅ  ｓｏｕｒｃｅ）を制御することと
を含む、方法。
【請求項１０】
前記二次経路適合的フィルタの出力の振幅を測定することをさらに含み、該二次経路適合的フィルタの出力の振幅が、閾値振幅を超過する場合、前記制御可能なノイズソースを前記制御することは、該制御可能なノイズソースを調節する、請求項９に記載の方法。
【請求項１１】
前記二次経路適合的フィルタの出力の振幅が、前記閾値振幅を超過する場合、前記制御可能なノイズソースを前記制御することは、前記ノイズ信号に適用されるゲインを調節する、請求項１０に記載の方法。
【請求項１２】
前記二次経路適合的フィルタの出力の振幅が、前記閾値振幅を超過する場合、前記制御可能なノイズソースを前記制御することは、前記ノイズ信号の注入を不能にする、請求項１０に記載の方法。
【請求項１３】
前記エラー信号の振幅から前記閾値振幅を決定することをさらに含み、該閾値振幅は、該エラー信号の振幅に従って動的に調節される、請求項１０に記載の方法。
【請求項１４】
前記閾値振幅は、前記エラー信号の振幅より２０ｄＢ低いレベルである、請求項１３に記載の方法。
【請求項１５】
前記ソースオーディオの振幅が、閾値振幅より低いことを検出することをさらに含み、該ソースオーディオの振幅が、該閾値振幅より低い場合、前記制御可能なノイズソースを前記制御することは、該制御可能なノイズソースを変更することのみを行う、請求項９に記載の方法。
【請求項１６】
前記適合的に生成することは、前記リスナによって聞き取られる前記周囲のオーディオサウンドの存在を低減するための前記アンチノイズ信号を生成するために、前記基準マイクロフォンの出力をフィルタリングする適合的フィルタの応答を適合させ、該適合的に生成することは、前記エラー信号および前記基準マイクロフォン信号に従い、該適合的フィルタの該応答を成形する、請求項９に記載の方法。
【請求項１７】
パーソナルオーディオデバイスの少なくとも一部分を実装するための集積回路であって、該集積回路は、
リスナへの再生のためのソースオーディオと、トランスデューサの音響出力における周囲のオーディオサウンドの影響を打ち消すためのアンチノイズ信号との両方を含む信号を該トランスデューサに提供するための出力部と、
前記ソースオーディオを含むソースオーディオ信号と、前記アンチノイズ信号とを組み合わせ、前記トランスデューサによる再生のための出力信号を提供する第一のコンバイナと、
該周囲のオーディオサウンドを示す基準マイクロフォン信号を受信するための基準マイクロフォン入力部と、
該トランスデューサの音響出力および該トランスデューサにおける該周囲のオーディオサウンドを示すエラーマイクロフォン信号を受信するためのエラーマイクロフォン入力部と、
ノイズ信号を提供するための制御可能なノイズソース（ｎｏｉｓｅ  ｓｏｕｒｃｅ）と、
処理回路であって、該処理回路は、エラー信号および該基準マイクロフォン信号に従い、該基準信号から、該リスナによって聞き取られる該周囲のオーディオサウンドの存在を低減するための該アンチノイズ信号を生成する、処理回路と、
を備え、該処理回路は、該ソースオーディオを、成形されたソースオーディオを発生するために、成形する二次経路応答を有する二次経路適合的フィルタと、第二のコンバイナとを実装し、該第二のコンバイナは、該エラー信号を提供するために、該エラーマイクロフォン信号から該ソースオーディオを除去し、該処理回路は、該ソースオーディオが、存在しないか、または、低減された振幅を有する場合、該ソースオーディオの代わりに、または、該ソースオーディオとの組み合わせで、該ノイズジェネレータから、該二次経路適合的フィルタおよび該ドランスデューサによって再生される該オーディオ信号の中にノイズを注入することにより、該二次経路適合的フィルタに適合することを続けさせ、該処理回路は、該二次経路適合的フィルタの出力に従い、該制御可能なノイズソースを制御する、
集積回路。
【請求項１８】
前記処理回路は、前記二次経路適合的フィルタの出力の振幅を測定し、該二次経路適合的フィルタの出力の振幅が、閾値振幅を超過する場合、前記制御可能なノイズソースを変更する、請求項１７に記載の集積回路。
【請求項１９】
前記処理回路は、前記二次経路適合的フィルタの出力の振幅が、前記閾値振幅を超過する場合、前記ノイズ信号に適用されるゲインを調節する、請求項１８に記載の集積回路。
【請求項２０】
前記処理回路は、前記二次経路適合的フィルタの出力の振幅が、前記閾値振幅を超過する場合、前記ノイズ信号の注入を不能にする、請求項１８に記載の集積回路。
【請求項２１】
前記処理回路は、さらに、前記エラー信号の振幅から前記閾値振幅を決定し、該閾値振幅は、該エラー信号の振幅に従って動的に調節される、請求項１８に記載の集積回路。
【請求項２２】
前記閾値振幅は、前記エラー信号の振幅より２０ｄＢ低いレベルである、請求項２１に記載の集積回路。
【請求項２３】
前記処理回路は、前記ソースオーディオの振幅が、閾値振幅より低いことを検出し、該処理回路は、該ソースオーディオの振幅が、該閾値振幅より低い場合、前記制御可能なノイズソースを変更することのみを行う、請求項１７に記載の集積回路。
【請求項２４】
前記処理回路は、応答を有する適合的フィルタを実装し、該応答は、前記基準信号から、前記リスナによって聞き取られる前記周囲のオーディオサウンドの存在を低減するための前記アンチノイズ信号を生成し、該処理回路は、前記エラー信号および前記基準マイクロフォン信号に従い、該適合的フィルタの該応答を成形する、請求項１７に記載の集積回路。